【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
マルチメディアシステムにおけるメディアデータを送信するための方法であって、
前記メディアデータにより要求されるマルチメディアサービスのタイプによる送信要求条件、及び前記メディアデータにより要求される前記マルチメディアサービスの前記送信要求条件に基づく送信構造を識別するステップと、
前記メディアデータの基本送信単位を生成するステップと、
前記生成された基本送信単位及び前記識別された送信構造に基づいて前記メディアデータを少なくとも一つのパケットにパケット化するステップと、
前記パケット化されたメディアデータを送信するステップと、
を含む方法。
【請求項２】
前記送信要求条件が、前記マルチメディアサービスが実時間送信を保証する条件を含む場合、前記メディアデータをパケット化するステップは、
少なくとも一つのＭＦＵ（Ｍｅｄｉａ  Ｆｒａｇｍｅｎｔ  Ｕｎｉｔ）の間隔で第１の制御情報ペイロードを挿入して前記メディアデータを前記少なくとも一つのパケットにパケット化するステップと、
少なくとも一つのＭＰＵ（Ｍｅｄｉａ  Ｐｒｏｃｅｓｓｉｎｇ  Ｕｎｉｔ）の間隔で第２の制御情報ペイロードを挿入して前記メディアデータを前記少なくとも一つのパケットにパケット化するステップとのうちの一つを含む請求項１に記載の方法。
【請求項３】
前記第１の制御情報ペイロードが少なくとも一つのＭＦＵの間隔で前記パケットに挿入される場合、前記マルチメディアサービスは前記実時間送信よりさらに速い実時間送信を要求し、
前記第２の制御情報ペイロードが少なくとも一つのＭＰＵの間隔で前記パケットに挿入される場合、前記マルチメディアサービスは前記実時間送信を要求する請求項２に記載の方法。
【請求項４】
前記第１の制御情報ペイロードを挿入して前記メディアデータを前記少なくとも一つのパケットにパケット化するステップは、
前記第１の制御情報ペイロードを含む前記パケットを生成するステップと、
前記少なくとも一つのＭＦＵの間隔で周期的な送信を実行するステップと、
を含む請求項２に記載の方法。
【請求項５】
前記第１の制御情報ペイロードはＭＰＵメタデータを含む請求項２に記載の方法。
【請求項６】
前記送信要求条件が、前記マルチメディアサービスが非実時間送信を保証する条件を含む場合、前記メディアデータをパケット化するステップは、予め決定されたサイズで前記メディアデータを前記少なくとも一つのパケットにパケット化するステップを含む請求項１に記載の方法。
【請求項７】
前記送信要求条件が、前記マルチメディアサービスがＶｏＤサービスである条件を含む場合、前記メディアデータをパケット化するステップは、
予め決定されたサイズで前記メディアデータを前記少なくとも一つのパケットにパケット化するステップと、
少なくとも一つのＭＰＵ（Ｍｅｄｉａ  Ｐｒｏｃｅｓｓｉｎｇ  Ｕｎｉｔ）の間隔で制御情報ペイロードを挿入して前記メディアデータを前記少なくとも一つのパケットにパケット化するステップとのうちの一つを含む請求項１に記載の方法。
【請求項８】
前記少なくとも一つのＭＰＵの間隔で前記制御情報ペイロードを挿入して前記メディアデータを前記少なくとも一つのパケットにパケット化するステップは、前記送信要求条件がＱｏＳ（ｑｕａｌｉｔｙ  ｏｆ  ｓｅｒｖｉｃｅ）保証ＶｏＤサービスである条件を含む場合に実行される請求項７に記載の方法。
【請求項９】
前記識別された送信構造は、ＭＰＵ（Ｍｅｄｉａ  Ｐｒｏｃｅｓｓｉｎｇ  Ｕｎｉｔ）を構成するＭＦＵ（Ｍｅｄｉａ  Ｆｒａｇｍｅｎｔ  Ｕｎｉｔ）のサイズに基づいて構成される一つ以上のペイロードの構造を含む請求項１に記載の方法。
【請求項１０】
前記識別された送信構造は、ＭＰＵ（Ｍｅｄｉａ  Ｐｒｏｃｅｓｓｉｎｇ  Ｕｎｉｔ）の単位で生成される前記パケットの構造及び予め決定されたサイズの単位で生成される前記パケットの構造のうちの少なくとも一つを含む請求項１に記載の方法。
【請求項１１】
マルチメディアシステムにおけるメディアデータを送信するための装置であって、
前記メディアデータにより要求されるマルチメディアサービスのタイプによる送信要求条件、及び前記メディアデータにより要求される前記マルチメディアサービスの前記送信要求条件に基づく送信構造を識別し、また、前記メディアデータの基本送信単位を生成するように構成されるパケット生成器と、
前記生成された基本送信単位及び前記識別された送信構造に基づいて前記メディアデータを少なくとも一つのパケットにパケット化し、また、前記パケット化されたメディアデータを送信するように構成される送受信器と、
を含む装置。
【請求項１２】
前記送信要求条件が前記マルチメディアサービスが実時間送信を保証する条件を含む場合、前記送受信器は、少なくとも一つのＭＦＵ（Ｍｅｄｉａ  Ｆｒａｇｍｅｎｔ  Ｕｎｉｔ）の間隔で第１の制御情報ペイロードを挿入して前記メディアデータを前記少なくとも一つのパケットにパケット化すること及び、少なくとも一つのＭＰＵ（Ｍｅｄｉａ  Ｐｒｏｃｅｓｓｉｎｇ  Ｕｎｉｔ）の間隔で第２の制御情報ペイロードを挿入して前記メディアデータを前記少なくとも一つのパケットにパケット化することのうちの少なくとも一つを実行するように構成される請求項１１に記載の装置。
【請求項１３】
前記送受信器は、
前記第１の制御情報ペイロードを含む前記パケットを生成し、
前記少なくとも一つのＭＦＵの間隔で周期的な送信を実行することにより、
前記第１の制御情報ペイロードを挿入して前記メディアデータを前記少なくとも一つのパケットにパケット化することを実行するように構成される請求項１２に記載の装置。
【請求項１４】
前記送信要求条件が、前記マルチメディアサービスが非実時間送信を保証する条件を含む場合、前記送受信器は、予め決定されたサイズで前記メディアデータを前記少なくとも一つのパケットにパケット化するように追加で構成される請求項１１に記載の装置。
【請求項１５】
前記送信要求条件が前記マルチメディアサービスがＶｏＤサービスである条件を含む場合、前記送受信器は、予め決定されたサイズで前記メディアデータを前記少なくとも一つのパケットにパケット化する動作と、及び少なくとも一つのＭＰＵ（Ｍｅｄｉａ  Ｐｒｏｃｅｓｓｉｎｇ  Ｕｎｉｔ）の間隔で制御情報ペイロードを挿入して前記メディアデータを前記少なくとも一つのパケットにパケット化する動作のうちの少なくとも一つを実行するように追加で構成される請求項１２に記載の装置。
【請求項１６】
前記送信要求条件がＱｏＳ（ｑｕａｌｉｔｙ  ｏｆ  ｓｅｒｖｉｃｅ）保証ＶｏＤサービスである条件を含む場合、前記送受信器は前記少なくとも一つのＭＰＵの間隔で前記制御情報ペイロードを挿入して前記メディアデータを前記少なくとも一つのパケットにパケット化するように追加で構成される請求項１５に記載の装置。
【請求項１７】
前記識別された送信構造は、ＭＰＵ（Ｍｅｄｉａ  Ｐｒｏｃｅｓｓｉｎｇ  Ｕｎｉｔ）を構成するＭＦＵ（Ｍｅｄｉａ  Ｆｒａｇｍｅｎｔ  Ｕｎｉｔ）のサイズに基づいて構成される一つ以上のペイロードの構造を含む請求項１１に記載の装置。
【請求項１８】
前記識別された送信構造はＭＰＵ（Ｍｅｄｉａ  Ｐｒｏｃｅｓｓｉｎｇ  Ｕｎｉｔ）の単位で生成される前記パケットの構造及び予め決定されたサイズの単位で生成される前記パケットの構造のうちの少なくとも一つを含む請求項１１に記載の装置。
【請求項１９】
マルチメディアシステムにおけるメディアデータを受信するための方法であって、
基本送信単位及び送信構造に基づいて生成されるパケット化されたメディアデータを受信するステップと、
前記パケット化されたメディアデータから前記メディアデータを獲得するステップと、を含み、
前記送信構造は、前記メディアデータにより要求されるマルチメディアサービスのタイプによる送信要求条件に基づいて識別される方法。
【請求項２０】
マルチメディアシステムにおけるメディアデータを受信するための装置であって、
基本送信単位及び送信構造に基づいて生成されるパケット化されたメディアデータを受信するように構成される送受信器と、
前記パケット化されたメディアデータから前記メディアデータを獲得するように構成される制御器と、を含み、
前記送信構造は前記メディアデータにより要求されるマルチメディアサービスのタイプによる送信要求条件に基づいて識別される装置。